(57)【特許請求の範囲】
【請求項１】
固定フレームに移動自在に保持されるスライダと、
前記スライダに配設された、前記スライダの移動によってキャリッジに搭載された記録ヘッドのノズル形成面を封止するキャップ部材を有するキャッピング手段と、
前記キャリッジが前記キャッピング手段の直上に移動した際、前記キャリッジに設けられた係合体と当接し押圧されることで、前記スライダを印字領域側から非印字領域側に移動させる、前記スライダに形成された係合部とを備え、
前記スライダは、スライダの印字領域側の両側部に夫々形成された２つの突起と、スライダの非印字領域側の両側部に夫々形成された２つ突起とからなる４つの突起を有し、
前記固定フレームは、固定フレームの印字領域側の両側部に夫々形成された２つのカム孔と、固定フレームの非印字領域側の両側部に夫々形成された２つカム孔とからなる４つのカム孔を有し、
前記突起を前記カム孔内に夫々挿入して、前記スライダが固定フレームに対して移動自在に保持されるように、前記スライダを前記固定フレームに対して組み付ける構造であって、
前記非印字領域側の２つのカム孔の非印字領域側端部に、前記突起を前記カム孔に挿入するための開口が設けられ、かつ前記印字領域側の２つのカム孔のうち少なくとも一方のカム孔の印字領域側端部に、前記カム孔に挿入するための開口が設けられ、
かつ、前記非印字領域側の２つのカム孔のキャリッジ往復方向寸法が、前記印字領域側の２つのカム孔のキャリッジ往復方向寸法より小さい寸法に設定されていることを特徴とするインクジェット式記録装置におけるキャッピング手段のスライダ組付構造。
【請求項２】
固定フレームに移動自在に保持されるスライダと、
前記スライダに配設された、前記スライダの移動によってキャリッジに搭載された記録ヘッドのノズル形成面を封止するキャップ部材を有するキャッピング手段と、
前記キャリッジが前記キャッピング手段の直上に移動した際、前記キャリッジに設けられた係合体と当接し押圧されることで、前記スライダを印字領域側から非印字領域側に移動させる、前記スライダに形成された係合部とを備え、
前記スライダは、スライダの印字領域側の両側部に夫々形成された２つの突起と、スライダの非印字領域側の両側部に夫々形成された２つ突起とからなる４つの突起を有し、
前記固定フレームは、固定フレームの印字領域側の両側部に夫々形成された２つのカム孔と、固定フレームの非印字領域側の両側部に夫々形成された２つカム孔とからなる４つのカム孔を有し、かつ、前記非印字領域側の２つのカム孔の非印字領域側端部に、前記突起を前記カム孔に挿入するための開口が設けられ、更に前記印字領域側の２つのカム孔のうち少なくとも一方のカム孔の印字領域側端部に、前記カム孔に挿入するための開口が設けられ、
前記スライダを固定フレームに組み付けるにあたり、
前記印字領域側の一のカム孔内に前記印字領域側の一の突起を挿入した後、前記印字領域側端部に開口が設けられた印字領域側の他のカム孔内に、前記開口から前記印字領域側の他の突起を挿入し、
前記スライダを前記固定フレームの非印字領域側に移動させた後、前記非印字領域側端部に開口が設けられた非印字領域側の２つのカム孔内に、非印字領域側の２つの突起を挿入し、
前記スライダを固定フレームに移動自在に組み付けることを特徴とするインクジェット式記録装置におけるキャッピング手段のスライダ組付方法。
【発明の詳細な説明】
【０００１】
【発明の属する技術分野】
本発明は、記録ヘッドからインクを吸引排出するためのインク滴吐出回復機能を備えたインクジェット式記録装置におけるキャッピング手段のスライダ組付構造および方法に関する。
【０００２】
【従来の技術】
インクジェット式記録装置は、印刷時の騒音が比較的小さく、しかも小さなドットを高い密度で形成することができるため、昨今においてはカラー印刷を含めた多くの印刷に使用されている。
このようなインクジェット式記録装置には、インクカートリッジからのインクの供給を受ける記録ヘッドと、この記録ヘッドに対して記録用紙を相対的に移動させる紙送り手段とが備えられている。
そして、印字信号に応じて記録ヘッドを移動させながら記録用紙にインク滴を吐出させてドットを形成することで記録が行われる。この場合、キャリッジ上に例えばブラック，イエロー，シアンおよびマゼンタのインクの吐出が可能な記録ヘッドを搭載し、各インクの吐出割合を変えることにより、フルカラー印刷を可能としている。
【０００３】
このようなインクジェット式記録装置においては、インクを記録ヘッドのノズル開口からインク滴として記録用紙に吐出させて印刷を行う関係上、次に示すような問題を抱えている。すなわち、ノズル開口からのインク溶媒の蒸発に起因するインク粘度の上昇やノズル形成面におけるインクの固化，塵埃の付着によってノズル開口に目詰まりが発生し、さらには記録ヘッド内に気泡が混入し、印刷不良を起こすという問題である。
【０００４】
このため、インクジェット式記録装置には、前記した記録ヘッドおよび紙送り手段に加え、非印刷時に記録ヘッドのノズル形成面を封止するキャッピング手段と、このキャッピング手段内にインクを吸引排出する吸引ポンプと、この吸引ポンプによるインクの吸引排出後に記録ヘッドのノズル形成面を清掃するワイピング手段とを備えている。
そして、前記したノズル開口の目詰まり発生および記録ヘッド内への気泡混入を防止するために、吸引ポンプによって記録ヘッドからインクを強制的にキャッピング手段内に吸引排出させた後、ワイピング手段によって記録ヘッドのノズル形成面を払拭（ワイピング）することが行われる。
【０００５】
このような記録ヘッドの目詰まり解消のため、または記録ヘッド内に気泡が残留している場合になされるインクの強制的な排出処理は、クリーニング操作と呼ばれる。そして、記録装置における長時間の休止後に印刷を再開する場合や、ユーザが印字かすれ等の印字品質不良を認識してクリーニングスイッチを操作した場合に実行される。
【０００６】
また、インクジェット式記録装置にあっては、一定時間毎に記録ヘッドのノズル開口からキャッピング手段内にインクを吐出させることにより、ノズル開口の目詰まりを解消したり、あるいはインクメニスカスを整えたりする、いわゆるフラッシング（空吐出）も行われている。
【０００７】
従来、この種のインクジェット式記録装置には、例えば次に示すようなキャッピング手段を備えたものが採用されている。
この記録装置のキャッピング手段につき、図１０を用いて説明する。図１０は、記録ヘッドをキャッピング状態とした場合におけるキャッピング手段の縦断面図である。
図１０に示すように、キャッピング手段９１は、耐インク性を有する軟質性素材からなるキャップ部材９１ａおよびこのキャップ部材９１ａを保持するキャップホルダ９１ｂを備えている。
【０００８】
前記キャップ部材９１ａには、記録ヘッド９２のノズル形成面に当接する環状のシール部９１ａ１およびこのシール部９１ａ１内に連通する貫通孔（インク排出口）９１ａ２が設けられている。このキャップ部材９１ａ内には、耐インク性およびインク吸収性にすぐれた多孔質材料からなるインク吸収シート９３が装填されている。そして、キャリッジ（図示せず）がキャッピング手段９１の上方を移動したときに、前記キャップホルダ９１ｂを支持するスライダ９４をほぼ水平姿勢に保ったまま上方に回動アームなどによって移動させ、記録ヘッド９２のノズル形成面をシール部材９１ａ１が封止し得るように構成されている。
【０００９】
一方、キャップホルダ９１ｂには、前記キャップ部材９１ａの内部空間に連通するインク排出口９１ｂ１が設けられており、またこのインク排出口９１ｂ１に連通して吸引ポンプ(図示せず)に至るインク排出管（チューブ）９１ａ３が接続されている。
【００１０】
前記した構成において、キャリッジがキャッピング手段側へ移動することにより、スライダ９４が押し上げられ、キャップ部材９１ａのシール部９１ａ１が記録ヘッド９２のノズル形成面を封止する。そして、吸引ポンプを動作させることで、インク排出管９１ａ３を介し、キャップ部材９１ａによって形成された内部空間（気密空間）に負圧が印加される。
【００１１】
これにより、記録ヘッド９２のノズル開口からインクがキャップ部材９１ａの内部空間に吸引排出され、さらにキャップ部材９１ａ内のインク吸収シート９３に吸収されてキャップ部材９１ａ内に貯留される。
また、記録ヘッド９２よりインクの吸引が終了した時点で、キャッピング手段９１を若干下方に移動させ、記録ヘッド９２に対するキャップ部材９１ａによる封止を解除し、吸引ポンプを動作させることにより、キャップ部材９１ａ内に貯留されたインクを廃液タンク内に排出させる動作シーケンスが実行される。
【００１２】
【発明が解決しようとする課題】
ところで、この種のキャッピング手段を保持するスライダは、記録装置内の固定フレームにアーム回動機構およびカム機構（ピンをカム孔内に挿入してなる機構）を介して移動自在に組み付けられている。すなわち、固定フレームには、スライダの印字領域側部がアーム回動機構を介して、またその非印字領域側部がカム機構を介して保持されている。
このため、固定フレームに対するスライダの組み付けにピン挿入作業のみならずアーム取付作業を必要としていた。この結果、スライダの組付時に作業数が嵩み、その組付作業を煩雑にするという課題があった。
また、回動アームなどを必要とすることは、それだけ部品点数が嵩み、構造全体が複雑になるばかりか、コスト高になるという課題もあった。
【００１３】
本発明は、このような技術的課題を解決するためになされたもので、スライダ組付作業および構造全体の簡素化と、さらにコストの低廉化とを図ることができるインクジェット式記録装置におけるキャッピング手段のスライド組付構造および方法を提供することを目的とする。
【００１４】
【課題を解決するための手段】
前記した目的を達成するためになされた本発明に係るインクジェット式記録装置におけるキャッピング手段のスライド組付構造は、固定フレームに移動自在に保持されるスライダと、前記スライダに配設された、前記スライダの移動によってキャリッジに搭載された記録ヘッドのノズル形成面を封止するキャップ部材を有するキャッピング手段と、前記キャリッジが前記キャッピング手段の直上に移動した際、前記キャリッジに設けられた係合体と当接し押圧されることで、前記スライダを印字領域側から非印字領域側に移動させる、前記スライダに形成された係合部とを備え、前記スライダは、スライダの印字領域側の両側部に夫々形成された２つの突起と、スライダの非印字領域側の両側部に夫々形成された２つ突起とからなる４つの突起を有し、前記固定フレームは、固定フレームの印字領域側の両側部に夫々形成された２つのカム孔と、固定フレームの非印字領域側の両側部に夫々形成された２つカム孔とからなる４つのカム孔を有し、前記突起を前記カム孔内に夫々挿入して、前記スライダが固定フレームに対して移動自在に保持されるように、前記スライダを前記固定フレームに対して組み付ける構造であって、前記非印字領域側の２つのカム孔の非印字領域側端部に、前記突起を前記カム孔に挿入するための開口が設けられ、かつ前記印字領域側の２つのカム孔のうち少なくとも一方のカム孔の印字領域側端部に、前記カム孔に挿入するための開口が設けられ、かつ、前記非印字領域側の２つのカム孔のキャリッジ往復方向寸法が、前記印字領域側の２つのカム孔のキャリッジ往復方向寸法より小さい寸法に設定されていることを特徴とする。
【００１５】
このように構成されているため、固定フレームへのスライダの組み付けが、切り欠きの無い印字領域側カム孔内に一方の印字領域側突起を移動自在に保持するとともに、他方の印字領域側突起を第二切り欠きからの挿入によって印字領域側カム孔内に移動自在に保持し、非印字領域側突起を第一切り欠きからの挿入によって非印字領域側カム孔内に移動自在に保持することにより行われる。
したがって、固定フレームに対するスライダの組み付けに従来必要としたアーム取付作業が不要となるため、スライダ組付時の作業数を削減することができ、スライダ組付作業の簡素化を図ることができる。
また、回動アームなどが不要であるため、それだけ部品点数を削減することができ、構造全体の簡素化およびコストの低廉化を図ることもできる。
【００１６】
また、前記カム孔のうち非印字領域側カム孔の非印字領域側に、前記第一切り欠きに連通し、かつ上方に開口する挿入口が配置されている。このように構成されているため、非印字領域側の突起が挿入口から第一切り欠きを経て非印字領域側のカム孔内に挿入して保持される。
【００１７】
また、前記カム孔のうち非印字領域側カム孔のキャリッジ往復方向寸法が、印字領域側カム孔のキャリッジ往復方向寸法より小さい寸法に設定されていることが望ましい。
このように構成されているため、固定フレームに対してスライダを組み付けると、各突起をカム孔内に配置することができる。
【００１８】
さらに、前記突起が前記スライダの側部に配置され、前記カム孔が前記固定フレームに配置されていることが望ましい。
このように構成されているため、固定フレームに対するスライダの印字領域側部および非印字領域側部の取り付けが、固定フレームの各カム孔内にスライダの各突起を挿入して保持することにより行われる。
【００１９】
一方、本発明に係るインクジェット式記録装置におけるキャッピング手段のスライダ組付方法は、固定フレームに移動自在に保持されるスライダと、前記スライダに配設された、前記スライダの移動によってキャリッジに搭載された記録ヘッドのノズル形成面を封止するキャップ部材を有するキャッピング手段と、前記キャリッジが前記キャッピング手段の直上に移動した際、前記キャリッジに設けられた係合体と当接し押圧されることで、前記スライダを印字領域側から非印字領域側に移動させる、前記スライダに形成された係合部とを備え、前記スライダは、スライダの印字領域側の両側部に夫々形成された２つの突起と、スライダの非印字領域側の両側部に夫々形成された２つ突起とからなる４つの突起を有し、前記固定フレームは、固定フレームの印字領域側の両側部に夫々形成された２つのカム孔と、固定フレームの非印字領域側の両側部に夫々形成された２つカム孔とからなる４つのカム孔を有し、かつ、前記非印字領域側の２つのカム孔の非印字領域側端部に、前記突起を前記カム孔に挿入するための開口が設けられ、更に前記印字領域側の２つのカム孔のうち少なくとも一方のカム孔の印字領域側端部に、前記カム孔に挿入するための開口が設けられ、前記スライダを固定フレームに組み付けるにあたり、前記印字領域側の一のカム孔内に前記印字領域側の一の突起を挿入した後、前記印字領域側端部に開口が設けられた印字領域側の他のカム孔内に、前記開口から前記印字領域側の他の突起を挿入し、前記スライダを前記固定フレームの非印字領域側に移動させた後、前記非印字領域側端部に開口が設けられた非印字領域側の２つのカム孔内に、非印字領域側の２つの突起を挿入し、前記スライダを固定フレームに移動自在に組み付けることを特徴とする。
【００２０】
このような方法によると、固定フレームに対するスライダの組み付けに従来必要としたアーム取付作業が不要となるため、スライダ組付時の作業数を削減することができ、スライダ組付作業の簡素化を図ることができる。
【００２１】
【発明の実施の形態】
以下、本発明が適用されたインクジェット式記録装置につき、図に示す実施の形態に基づいて説明する。図１は本発明が適用されたインクジェット式記録装置の全体構成を示すものである。
図１において、符号１で示すキャリッジは、キャリッジモータ２によって駆動されるタイミングベルト３を介し、ガイド部材４に案内されてプラテン５の軸方向に往復移動し得るように構成されている。
【００２２】
このキャリッジ１の下面部（記録用紙６に対向する側）にはインクジェット式の記録ヘッド１２が装着され、またその上面部には記録ヘッド１２にインクを供給するブラックインクカートリッジ７およびカラーインクカートリッジ８が着脱可能に保持されている。
【００２３】
前記キャリッジ１の非印字領域（ホームポジション）にはキャッピング手段９が配置されている。このキャッピング手段９（キャップ部材）は前記記録ヘッド１２が直上に移動した時に上昇し、前記記録ヘッド１２のノズル形成面を封止し得るように構成されている。キャッピング手段９の下方には、キャップ部材の内部空間に負圧を与えるためのポンプユニットとしての吸引ポンプ（チューブポンプ）１０が配置されている。
【００２４】
前記キャッピング手段９は、インクジェット式記録装置の休止期間中における前記記録ヘッド１２のノズル開口の乾燥を防止する蓋体としての機能を備えている。また、印刷とは関係のない駆動信号を前記記録ヘッド１２に印加してインク滴を空吐出させるフラッシング動作時のインク受けとしての機能、および前記チューブポンプ１０からの負圧を前記記録ヘッド１２に作用させてインクを吸引するクリーニング手段としての機能も兼ね備えている。
【００２５】
そして、キャッピング手段９における印字領域側部の近傍には、ワイピング手段１１が前記記録ヘッド１２の移動経路と直角な水平方向に進退可能となるように配置されている。
なお、前記ワイピング手段１１の移動動作と前記チューブポンプ１１の吸引動作には、記録用紙６を搬送する紙送りモータ（後述）の駆動力が利用される。
【００２６】
次に、本発明の要部であるキャッピング手段のスライダ組付構造につき、図２〜図５を用いて説明する。図２および図３は、本発明が適用されたインクジェット式記録装置の非キャッピング状態とキャッピング状態を説明するために示す側面図である。図４は、同じく本発明が適用されたインクジェット式記録装置におけるキャッピング手段の固定フレームを示す斜視図である。図５（ａ）および（ｂ）は、本発明が適用されたインクジェット式記録装置におけるキャッピング手段のスライダを示す斜視図である。
図２および図３において、符号１で示すキャリッジは、前記したようにガイド部材４に案内され、用紙ガイド板（図示せず）に対向して平行に往復移動し得るように構成されている。
前記キャッピング手段９は、前記記録ヘッド１２のノズル形成面を封止し得るキャップ部材９ａおよびこのキャップ部材９ａを保持するキャップホルダ９ｂを有している。
【００２７】
前記キャップ部材９ａは前記キャップホルダ９ｂに例えば二色成形法によって一体に設けられており、全体が例えばエラストマーなどの弾性素材からなる平面ほぼ矩形状の箱体によって形成されている。そして、このキャップ部材９ａは、チューブポンプ１０（図１に図示）にインク排出管９１ａ3（図１０に図示）を介して接続されている。これにより、クリーニング指令を受けた場合には、記録ヘッド１２のノズル形成面を封止した状態においてチューブポンプ１０による負圧がキャップ部材９ａの内部空間に印加され、記録ヘッド１２からインクを強制的に排出させることができる。
【００２８】
一方、前記キャップホルダ９ｂは前記キャップ部材９ａと同様に平面ほぼ矩形状の箱体からなり、全体が前記キャップ部材９ａの素材（エラストマー）より硬い素材によって形成されている。このキャップホルダ９ｂは、スライダ昇降機構（スライド機構）を構成するスライダ１５上に取り付けられ、圧縮ばね（図示せず）によって記録ヘッド側に常時付勢されている。そして、前記キャリッジ１の往復動作に伴う前記スライダ１５の水平・昇降動作によってキャッピング位置と非キャッピング位置に動作するように構成されている。
【００２９】
前記スライダ１５は、記録装置内の固定フレーム３１に引張ばね（図示せず）を介して連結されている。これにより、前記スライダ１５が印刷領域方向に接近し、かつ前記記録ヘッド１２から離間する方向に、すなわち図３に示す状態から図２に示す状態になるように下方に付勢されている。
【００３０】
そして、図２に示すようにキャリッジ１がキャッピング手段９の直上に移動した際、前記キャリッジ１に設けられた係合体１ａが、前記スライダ１５に直立するように設けられた係合部１５Ａに当接することで、図３に示すように引張ばねの弾撥力に抗して前記スライダ１５が非印字領域側に移動する。これにより、記録ヘッド１２のノズル形成面をキャップ部材９ａ（シール部）で封止することができる。
【００３１】
また、キャリッジ１が印字領域側に移動した場合には、係合部１５Ａに対する係合体１ａの当接が解除され、前記スライダ１５が引張ばねの弾撥力によって図２に示す状態になされる。これにより、キャップ部材９ａによる記録ヘッド１２におけるノズル形成面の封止を解除することができる。
【００３２】
前記スライダ１５の左側部には、図５（ｂ）に示すように、水平・鉛直（前後・上下）方向に所定の間隔をもって並列する二つの突起１５ａ，１５ｃが設けられている。また、その右側部には、図５（ａ）に示すように、同じく水平・鉛直方向に所定の間隔をもって並列する二つの突起１５ｂ，１５ｄが設けられている。すなわち、前記スライダ１５の印字領域側（両側前方部）には前記突起１５ａ，１５ｂが左右対称な位置に配置されており、その非印字領域側（両側後方部）には前記突起１５ｃ，１５ｄが左右対称な位置に配置されている。
【００３３】
前記固定フレーム３１には、図４に示すように、前記突起１５ａ〜１５ｄを案内するカム孔２２〜２５が設けられている。そして、前記カム孔２２〜２５内に前記突起１５ａ〜１５ｄを挿入して移動自在に保持するように構成されている。これら各カム孔２２〜２５の両端位置にはそれぞれ低所部２２ａ〜２５ａと高所部２２ｂ〜２５ｂが配置されており、これら両部２２ａ〜２５ａ，２２ｂ〜２５ｂ間には傾斜部２２ｃ〜２５ｃが配置されている。このうち印字領域側の低所部２２ａ，２３ａおよび高所部２２ｂ，２３ｂと傾斜部２２ｃ，２３ｃとは、前記カム孔２２，２３の内面上方部に配置されている。一方、非印字領域側の低所部２４ａ，２５ａおよび高所部２４ｂ，２５ｂと傾斜部２４ｃ，２５ｃとは、前記カム孔２４，２５の内面下方部に配置されている。
【００３４】
前記カム孔２２〜２５のうち非印字領域側の両カム孔２４，２５には、非印字領域側（後方）に開口する第一切り欠き２４Ａ，２５Ａが設けられている。前記カム孔２４，２５の非印字領域側には、前記第一切り欠き２４Ａ，２５Ａに連通し、かつ上方（記録ヘッド側）に開口する挿入口２４Ａ1，２５Ａ1が設けられている。一方、印字領域側のカム孔２２，２３のうち左側のカム孔２２には、印字領域側（前方）に開口する第二切り欠き２２Ａが設けられている。
なお、印字領域側のカム孔２３の内面前方部と非印字領域側のカム孔２４，２５の内面前方部は、前記スライダ１５の印字領域側への移動を規制するストッパとして機能させることが可能となる。
【００３５】
次に、本実施形態に係るキャッピング手段のスライダ組付方法につき、図６〜図９を用いて説明する。図６〜図９は、本発明に係るインクジェット式記録装置におけるキャッピング手段のスライダ組付方法を説明するために示す斜視図である。
先ず、図６に示すように、突起１５ｂをカム孔２３内に挿入し得るような姿勢にスライダ１５を傾斜させ、突起１５ｂをカム孔２３内の前方部（印字領域側）に挿入する。
次いで、図７に示すように、突起１５ａをカム孔２２内に挿入し得るような姿勢にスライダ１５を保ち、突起１５ａを第二切り欠き２２Ａからカム孔２２内の前方部（印字領域側）に挿入する。
【００３６】
しかる後、図８に示すように、スライダ１５を固定フレーム３１の印字領域側（前方端部）から非印字領域側（後方端部）に向かって移動させる。この場合、スライダ１５を移動させると、突起１５ａがカム孔２２の低所部２２ａから傾斜部２２ｃを経て高所部２２ｂに移動するとともに、突起１５ｂがカム孔２３の低所部２３ａから傾斜部２３ｃを経て高所部２３ｂに移動する。
そして、両突起１５ａ，１５ｂの回りにスライダ１５を図９に二点鎖線で示すように回動させて突起１５ｃを挿入口２４Ａ1内に挿入するとともに、突起１５ｄを挿入口２５Ａ1内に挿入する。
【００３７】
この状態まま、スライダ１５を固定フレーム３１の非印字領域側（後方端部）から印字領域側（前方端部）に向かって移動させ、突起１５ｃを切り欠き２４Ａからカム孔２４内の後方部（非印字領域側）に挿入するとともに、突起１５ｄを切り欠き２５Ａからカム孔２５内の後方部（非印字領域側）に挿入する。
【００３８】
この後、スライダ１５を固定フレーム３１の非印字領域側（後方端部）から印字領域側（前方端部）に向かってさらに移動させる。この場合、スライダ１５を移動させると、非印字領域側の突起１５ｃがカム孔２４の高所部２４ｂから傾斜部２４ｃを経て低所部２４ａに移動するとともに、突起１５ｄがカム孔２５の高所部２５ｂから傾斜部２５ｃを経て低所部２５ａに移動する。また、印字領域側の突起１５ａがカム孔２２の高所部２２ｂから傾斜部２２ｃを経て低所部２２ａに移動するとともに、突起１５ｂがカム孔２３の高所部２３ｂから傾斜部２３ｃを経て低所部２３ａに移動する。
このようにして、スライダ１５が固定フレーム３１に対して組み付けられる。
【００３９】
したがって、本実施形態においては、固定フレーム３１に対するスライダ１５の組み付けに従来必要としたアーム取付作業が不要となるため、スライダ組付時の作業数を削減することができ、スライダ組付作業の簡素化を図ることができる。
また、本実施形態においては、回動アームなどが不要であるため、それだけ部品点数を削減することができ、構造全体の簡素化およびコストの低廉化を図ることもできる。
【００４０】
なお、本実施形態においては、印字領域側の両カム孔２２，２３のうちカム孔２２にのみ切り欠き２２Ａを設ける場合について説明したが、本発明はこれに限定されず、カム孔２２に切り欠きを設ける代わりにカム孔２３にのみ設けてもよい。また、両カム孔２２，２３に切り欠きを設けてもよい。この場合、固定フレームへのスライダの組み付けによって各突起がカム孔内に配置されるためには、非印字領域側カム孔のキャリッジ往復方向寸法を印字領域側カム孔のキャリッジ往復方向寸法より小さい寸法に設定することが望ましい。
【００４１】
この他、本実施形態においては、非印字領域側の両カム孔２４，２５に切り欠き２４Ａ，２５Ａおよび挿入口２４Ａ1，２５Ａ1を設ける場合について説明したが、本発明はこれに限定されず、固定フレーム左側部のカム孔２２，２４あるいは右側部のカム孔２３，２５に切り欠きおよび挿入口（共に図示せず）を設けても実施形態と同様の効果を奏する。
【００４２】
【発明の効果】
以上の説明で明らかなとおり、本発明に係るインクジェット式記録装置におけるキャッピング手段のスライダ組付構造によると、スライダ組付作業および構造全体の簡素化と、さらにコストの低廉化とを図ることができる。
【図面の簡単な説明】
【図１】本発明が適用されたインクジェット式記録装置の全体構成の概略を示す斜視図である。
【図２】本発明が適用されたインクジェット式記録装置の非キャッピング状態を示す側面図である。
【図３】本発明が適用されたインクジェット式記録装置のキャッピング状態を示す側面図である。
【図４】本発明が適用されたインクジェット式記録装置におけるキャッピング手段の固定フレームを示す斜視図である。
【図５】（ａ）および（ｂ）は、本発明が適用されたインクジェット式記録装置におけるキャッピング手段のスライダを示す斜視図である。
【図６】本発明に係るインクジェット式記録装置におけるキャッピング手段のスライダ組付方法の手順（１）を説明するために示す斜視図である。
【図７】本発明に係るインクジェット式記録装置におけるキャッピング手段のスライダ組付方法の手順（２）を説明するために示す斜視図である。
【図８】本発明に係るインクジェット式記録装置におけるキャッピング手段のスライダ組付方法の手順（３）を説明するために示す斜視図である。
【図９】本発明に係るインクジェット式記録装置におけるキャッピング手段のスライダ組付方法の手順（４）を説明するために示す斜視図である。
【図１０】従来のインクジェット式記録装置におけるキャッピング手段を示す断面図である。
【符号の説明】
１                        キャリッジ
１ａ                      係合体
２                        キャリッジモータ
３                        タイミングベルト
４                        ガイド部材
５                        プラテン
６                        記録用紙
７                        ブラックインクカートリッジ
８                        カラーインクカートリッジ
９                        キャッピング手段
９ａ                      キャップ部材
９ｂ                      キャップホルダ
１０                      吸引ポンプ
１１                      ワイピング手段
１２                      記録ヘッド
１５                      スライダ
１５Ａ                    係合部
１５ａ〜１５ｄ            突起
２２〜２５                カム孔
２２ａ〜２５ａ            低所部
２２ｂ〜２５ｂ            高所部
２２ｃ〜２５ｃ            傾斜部
２２Ａ，２４Ａ，２５Ａ    切り欠き
２４Ａ1，２５Ａ1           挿入口
３１                      固定フレーム
【図１】
0004016413.tif 000002
【図２】
0004016413.tif 000003
【図３】
0004016413.tif 000004
【図４】
0004016413.tif 000005
【図５】
0004016413.tif 000006
【図６】
0004016413.tif 000007
【図７】
0004016413.tif 000008
【図８】
0004016413.tif 000009
【図９】
0004016413.tif 000010
【図１０】
0004016413.tif 000011